(57)【要約】【課題】従来よりも、水滴が、発光素子の側面に接触して滞留することを抑制することができる表示ユニットを提供する。【解決手段】表示ユニット１０は複数の発光素子３０と反射抑制部材５０を備える。反射抑制部材５０は各発光素子３０が設けられる位置にそれぞれ対応する位置に設けられる複数の開口部５４とベース部５１を有する。各発光素子３０は各開口部５４を貫通してベース表面５１Ｓ１からベース表面５１Ｓ１に垂直な方向に突出する。ベース表面５１Ｓ１にはベース表面５１Ｓ１に垂直に突出する複数の庇部５５が水平方向に互いに離間して設けられる。庇部５５は、対応する発光素子３０の鉛直方向の上方に設けられる第１覆部５６Ａと、第１覆部５６Ａから延出し第１覆部５６Ａから遠ざかるほど対応する発光素子３０との水平方向の距離が大きくなるように傾斜する第１延出部５６Ｂを有する。【選択図】図２
2020160302.tif 000002
【特許請求の範囲】
【請求項１】
回路基板と、
前記回路基板に設けられる複数の発光素子と、
複数の前記発光素子が設けられる位置にそれぞれ対応する位置に設けられる複数の開口部および前記回路基板を覆うベース部を有する反射抑制部材と、を備え、
前記ベース部は、前記回路基板に対向する裏面および前記裏面と前記ベース部の厚み方向において反対側に位置する表面を有し、
複数の前記発光素子は、前記開口部を貫通して前記ベース部の前記表面から、前記表面に垂直な方向に突出し、
前記ベース部の前記表面には、前記ベース部の前記表面に垂直な方向に突出する複数の庇部が、複数の前記発光素子が設けられる位置にそれぞれ対応する位置に、水平方向に互いに離間して設けられ、
前記庇部は、対応する前記発光素子の鉛直方向の上方に設けられる覆部と、前記覆部から延出し、前記覆部から遠ざかるほど前記鉛直方向の下方に位置するように前記水平方向に対して傾斜する延出部を有し、
前記延出部は、前記覆部から遠ざかるほど、対応する前記発光素子との前記水平方向の距離が大きくなるように傾斜する
表示ユニット。
【請求項２】
前記ベース部は、前記水平方向における一方の端部である一端部と、前記ベース部の前記水平方向における他方の端部である他端部を有し、
複数の前記庇部は、前記延出部が前記覆部の前記一端部側に設けられる第１庇部と、前記延出部が前記覆部の前記他端部側に設けられる第２庇部を含む
請求項１に記載の表示ユニット。
【請求項３】
前記ベース部の前記表面には、前記第１庇部が前記水平方向に複数並んで構成される第１庇列と、前記第２庇部が前記水平方向に複数並んで構成される第２庇列が、前記鉛直方向に沿って交互に設けられる
請求項２に記載の表示ユニット。
【請求項４】
前記覆部は、前記水平方向に対して傾斜して設けられている
請求項１〜３のいずれか１項に記載の表示ユニット。
【請求項５】
前記覆部の前記水平方向に対する傾斜角度は、前記延出部の前記水平方向に対する前記傾斜角度と等しい
請求項４に記載の表示ユニット。
【請求項６】
前記第１庇列に含まれる前記第１庇部の前記延出部は、前記第１庇列の前記鉛直方向の下方に設けられる前記第２庇列に含まれる前記第２庇部の前記覆部に接続し、
前記第２庇列に含まれる前記第２庇部の前記延出部は、前記第２庇列の前記鉛直方向の下方に設けられる前記第１庇列に含まれる前記第１庇部の前記覆部に接続する
請求項３〜５のいずれか１項に記載の表示ユニット。
【請求項７】
前記庇部は、前記第１庇部の前記延出部と前記第２庇部の前記延出部に接続し、前記鉛直方向に延びる第３庇部を有する
請求項２〜６のいずれか１項に記載の表示ユニット。
【請求項８】
請求項１〜７のいずれか１項に記載の表示ユニットを複数備える表示装置。
【請求項９】
請求項１〜７のいずれか１項に記載の表示ユニットを複数備える道路情報表示装置。
【発明の詳細な説明】
【技術分野】
【０００１】
本発明は、表示ユニット、表示装置および道路情報表示装置に関する。
【背景技術】
【０００２】
表示装置の表示画面は、複数の表示ユニットを鉛直方向および水平方向に並べて構成される。表示ユニットは、回路基板と、回路基板に設けられる複数の発光素子と、回路基板における外光の反射を抑制する反射抑制部材を有する。反射抑制部材は、回路基板を覆うベース部を有する。ベース部には、複数の発光素子が設けられる位置にそれぞれ対応する位置に、複数の開口部が設けられている。各発光素子は、各開口部を貫通してベース部の表面からベース部に垂直な方向に突出するように設けられている。
【０００３】
また、ベース部には、各発光素子が設けられる位置にそれぞれ対応する位置に、発光素子への外光の入射を抑制する庇部が、ベース部の表面からベース部に垂直な方向に突出するように複数設けられている。
【０００４】
近年、このような表示ユニットとして、発光素子に入射する外光を広い範囲で遮断するため、発光素子の周囲上部に沿って設けられる庇部を有するものが提案されている（例えば、特許文献１参照）。
【先行技術文献】
【特許文献】
【０００５】
【特許文献１】特開２０１３−１２２８４９８号公報（段落［００２３］、［００２４］参照）
【発明の概要】
【発明が解決しようとする課題】
【０００６】
ところで、表示ユニットでは、降雨等によって庇部に水滴が付着することがある。このような場合、従来の表示ユニットでは、庇部に付着した水滴のうち、庇部と発光素子の間に付着した水滴が、自重によって鉛直方向の下方に向けて移動する際、庇部と発光素子の間に挟まれてしまい、発光素子の側面に接触して滞留することがあった。発光素子の側面に接触して滞留する水滴が存在すると、当該水滴によって発光素子からの出射光の光路が歪められ、発光素子から正面方向に出射される光の輝度が変化してしまうおそれがある。このような発光素子の輝度の変化は、表色ムラや輝度ムラの原因となる。
【０００７】
本発明は上述のような課題を解決するためになされたもので、水滴が、発光素子の側面に接触して滞留することを抑制することができる表示ユニット、表示装置および道路情報表示装置を得ることを目的とする。
【課題を解決するための手段】
【０００８】
本発明にかかる表示ユニットは、回路基板と、回路基板に設けられる複数の発光素子と、複数の発光素子が設けられる位置にそれぞれ対応する位置に設けられる複数の開口部および回路基板を覆うベース部を有する反射抑制部材と、を備え、ベース部は、回路基板に対向する裏面および裏面とベース部の厚み方向において反対側に位置する表面を有し、複数の発光素子は、開口部を貫通してベース部の表面から、表面に垂直な方向に突出し、ベース部の表面には、ベース部の表面に垂直な方向に突出する複数の庇部が、複数の発光素子が設けられる位置にそれぞれ対応する位置に、水平方向に互いに離間して設けられ、庇部は、対応する発光素子の鉛直方向の上方に設けられる覆部と、覆部から延出し、覆部から遠ざかるほど鉛直方向の下方に位置するように水平方向に対して傾斜する延出部を有し、延出部は、覆部から遠ざかるほど、対応する発光素子との水平方向の距離が大きくなるように傾斜するものである。
【発明の効果】
【０００９】
本発明の表示ユニットによれば、庇部に付着した水滴は、自重によって延出部を伝って鉛直方向の下方に移動する際、延出部によって、発光素子との水平方向の距離が大きくなる方向に誘導される。このため、本発明の表示ユニットでは、庇部が発光素子の周囲上部に沿って設けられる従来の表示ユニットよりも、水滴が、発光素子の側面に接触して滞留することを抑制することができる。
【図面の簡単な説明】
【００１０】
【図１】本発明の実施の形態１にかかる表示装置の斜視図。
【図２】本発明の実施の形態１にかかる表示ユニットの正面図。
【図３】図２のＡ−Ａ線断面図。
【図４】（ａ）および（ｂ）は、本発明の実施の形態１にかかる表示ユニットの一部を拡大して示す部分拡大正面図。
【図５】（ａ）および（ｂ）は、本発明の実施の形態１にかかる表示ユニットの一部を拡大して示す部分拡大正面図。
【図６】（ａ）は、従来の表示ユニットの一部を拡大して示す部分拡大正面図、（ｂ）は、本発明の実施の形態１にかかる表示ユニットの一部を拡大して示す部分拡大正面図。
【図７】本発明の実施の形態２にかかる表示ユニットの正面図。
【図８】（ａ）および（ｂ）は、本発明の実施の形態２にかかる表示ユニットの一部を拡大して示す部分拡大正面図。
【図９】本発明の実施の形態３にかかる表示ユニットの正面図。
【図１０】本発明の実施の形態４にかかる表示ユニットの正面図。
【図１１】本発明の他の実施の形態にかかる表示ユニットの正面図。
【図１２】本発明の他の実施の形態にかかる表示ユニットの正面図。
【図１３】本発明の他の実施の形態にかかる表示ユニットの正面図。
【発明を実施するための形態】
【００１１】
本発明を実施するための形態について添付の図面を参照しながら説明する。なお、各図中、同一または相当する部分には同一の符号を付しており、その重複説明は適宜に簡略化ないし省略する。また説明の便宜上、各図中に示す部分のサイズ、形状の比例関係等が誇張されている場合がある。
【００１２】
（実施の形態１）
図１〜図６を参照しながら、本発明の実施の形態１にかかる表示ユニット１０および表示装置５００について説明する。
図１は、本発明の実施の形態１にかかる表示装置５００の斜視図である。図１に示すように、本実施の形態１にかかる表示装置５００は、画像を表示する複数の表示ユニット１０を鉛直方向および水平方向に並べて構成される。表示装置５００において画像が表示される面を表示面５０１とする。
【００１３】
表示装置５００は、高速道路または一般道路に設置されて注意喚起情報または各種の道路情報等を表示する道路情報表示装置として使用されることが好ましいが、道路情報表示装置以外の画像表示装置として野外スタジアム等に設置することもできる。
【００１４】
各表示ユニット１０は、各表示ユニット１０の画像が表示される面である画像表示面１１が、表示装置５００の正面を向くように、表示面５０１に沿って鉛直方向および水平方向に並ぶように敷き詰められ、支持フレーム２００にネジ止め等により固定されている。これにより、表示装置５００および表示装置５００の表示面５０１が構成される。
【００１５】
なお、本実施の形態では、表示装置５００と表示ユニット１０を地面に対して垂直に設置した場合を説明し、表示面５０１または画像表示面１１を正面から見た場合における左右方向を水平方向、表示面５０１または画像表示面１１を正面から見た場合における上下方向を鉛直方向とする。これらの軸方向の規定は、他の実施の形態および変形例においても同様である。
【００１６】
図２は、本実施の形態１にかかる表示ユニット１０を正面から見た正面図を示し、図３は図２のＡ−Ａ線断面図を示す。
【００１７】
図２および図３に示すように、表示ユニット１０は、ケース４０と、ケース４０に設けられる回路基板２０と、回路基板２０の実装面２２に設けられる複数の発光素子３０とを備える。実装面２２は、画像表示面１１と平行な面に沿って延びるように設けられている。
【００１８】
回路基板２０は絶縁性の樹脂材料、ガラス材料、またはセラミック材料等から製作される。実装面２２には、実装面２２を水または砂塵等の異物から保護する保護部２３が、実装面２２を密封するように設けられている。保護部２３は、撥水性のあるシリコーン樹脂またはエポキシ樹脂等の樹脂材料から製作される。
【００１９】
発光素子３０は、Ｒ（赤色）、Ｇ（緑色）およびＢ（青色）のＬＥＤチップを内蔵する３ｉｎ１型のＬＥＤ素子であり、複数の発光素子３０が、回路基板２０の実装面２２に格子状に設けられている。複数の発光素子３０全体で画像が表示され、各発光素子３０は、画像を構成する画素となる。各発光素子３０は、それぞれ、側面３０ａを有する。
【００２０】
ケース４０は、表示ユニット１０の画像表示面１１側に設けられる開口部である第１開口部４１と、表示ユニット１０の画像表示面１１側と反対側に設けられる開口部である第２開口部４２を有する筐体であり、ポリカーボネート樹脂またはアクリル樹脂等の樹脂材料から製作される。上述したように、ケース４０には、回路基板２０が、実装面２２が画像表示面１１を向くように設けられている。
【００２１】
ケース４０には、回路基板２０の実装面２２を覆うように、ルーバ５０（特許請求の範囲における「反射抑制部材」に相当）が設けられている。
回路基板２０には、発光素子３０に電力を供給する配線（図示せず）が設けられているため、回路基板２０に太陽光等の外光が入射すると、配線で反射し、反射光として視認されてしまう。ルーバ５０は、回路基板２０への外光の入射を抑制することで、回路基板２０における外光の反射を抑制する。
【００２２】
ルーバ５０は、黒色の樹脂材料を射出成形して製作されており、回路基板２０を覆うベース部５１を備える。ベース部５１には、複数の開口部５４が設けられている。各開口部５４は、それぞれ、各発光素子３０が設けられる位置に対応する位置に設けられている。なお、図２に示すように、本実施の形態１における開口部５４および発光素子３０は矩形形状を有するが、開口部５４および発光素子３０の形状は矩形形状に限られるものではなく適宜変更することができる。例えば、円形状、楕円形状または多角形状であってもよい。
【００２３】
また、ベース部５１には複数の庇部５５が設けられている。各庇部５５は、それぞれ、各発光素子３０が設けられる位置に対応する位置に設けられている。
【００２４】
ベース部５１は、回路基板２０と対向するように配置されるベース裏面５１Ｓ２、およびベース裏面５１Ｓ２とベース部５１の厚み方向ＤＲにおいて反対側に位置するベース表面５１Ｓ１を有する。ベース表面５１Ｓ１およびベース裏面５１Ｓ２は、いずれも、画像表示面１１と平行な面に沿って延びるように設けられている。また、ベース部５１は、水平方向における一方の端部である第１側端部５１Ｅ１（特許請求の範囲における「一端部」に相当）と、ベース部５１の水平方向における他方の端部である第２側端部５１Ｅ２（特許請求の範囲における「他端部」に相当）を有する。
【００２５】
ベース表面５１Ｓ１には、図２および図３に示すように、外光の反射を効率よく抑制するため、水平方向に延びる複数の溝部を設けることが好ましいが、ベース表面５１Ｓ１は、溝部が設けられない平らな面としてもよい。また、ベース表面５１Ｓ１には、シボ加工を施してもよい。また、図２および図３には、ベース表面５１Ｓ１に、水平方向に延びる溝部が設けられる例を示しているが、各溝部の延びる方向は水平方向に限られるものではなく、鉛直方向または斜め方向であってもよい。
【００２６】
発光素子３０は、開口部５４を貫通して、ベース表面５１Ｓ１からベース表面５１Ｓ１に垂直な方向に突出している。発光素子３０の側面３０ａは、ベース表面５１Ｓ１から、ベース表面５１Ｓ１に垂直な方向に突出する面を構成する。
また、ベース表面５１Ｓ１には、ベース表面５１Ｓ１に垂直な方向に突出する複数の庇部５５が、各発光素子３０が設けられる位置に対応する位置にそれぞれ設けられている。図２に示すように、本実施の形態１では、複数の庇部５５は、それぞれ互いに離間して設けられている。
【００２７】
庇部５５は、ルーバ５０の射出成形時にベース部５１と一体成形することが好ましいが、ベース部５１と庇部５５を別体として製作した後、ベース部５１に庇部５５を取り付けてもよい。
【００２８】
庇部５５は、水平方向に並んで設けられる複数の第１庇部５６と、水平方向に並んで設けられる複数の第２庇部５７を有する。上述したように、複数の庇部５５は、それぞれ互いに離間して設けられるものであるため、各第１庇部５６は、水平方向に互いに離間して設けられることとなる。各第２庇部５７も同様に、水平方向に互いに離間して設けられることとなる。また、各第１庇部５６および各第２庇部５７は、いずれも、各発光素子３０が設けられる位置にそれぞれ対応する位置に設けられている。
【００２９】
水平方向に並ぶ複数の第１庇部５６は第１庇列６１を構成し、水平方向に並ぶ複数の第２庇部５７は第２庇列６２を構成する。第１庇列６１と第２庇部５７は、鉛直方向に沿って交互に設けられる。
【００３０】
次に、第１庇部５６の構成について、図２、および図２の領域Ｂを拡大して示す部分拡大正面図である図４（ａ）および図４（ｂ）を参照しながら詳細に説明する。
【００３１】
図２に示すように、第１庇部５６は、第１覆部５６Ａと、当該第１覆部５６Ａから延出する第１延出部５６Ｂを有する。第１延出部５６Ｂは、第１覆部５６Ａの第２側端部５１Ｅ２側に設けられている。また、第１延出部５６Ｂは、第１覆部５６Ａから遠ざかるほど、鉛直方向の下方に位置するように水平方向に対して傾斜して設けられている。なお、本実施の形態１、および以下で説明する他の実施の形態および他の変形例において、鉛直方向の下方とは、鉛直方向における位置が低いことを示し、鉛直方向の真下に限られるものではない。
【００３２】
図２の領域Ｂに、第１庇部５６と、当該第１庇部５６に対応する発光素子３０を示す。第１庇部５６は、当該第１庇部５６を構成する第１覆部５６Ａが、対応する発光素子３０の鉛直方向の上方に隣接して位置し、第１延出部５６Ｂが、当該対応する発光素子３０の第２側端部５１Ｅ２側に隣接して位置するように設けられている。
【００３３】
このため、第１庇部５６に対応する発光素子３０は、当該第１庇部５６を構成する第１覆部５６Ａの鉛直方向の下方に隣接する位置であって、当該第１覆部５６Ａから延出する第１延出部５６Ｂの第１側端部５１Ｅ１側に隣接する位置に設けられることとなる。
【００３４】
図４（ａ）および図４（ｂ）に示すように、第１延出部５６Ｂは、第１覆部５６Ａから遠ざかるほど鉛直方向の下方に位置するように水平方向に対して傾斜して設けられる。また、第１延出部５６Ｂは、第１覆部５６Ａから遠ざかるほど対応する発光素子３０との水平方向の距離が大きくなるように設けられている。すなわち、図４（ａ）に示すように、第１延出部５６Ｂを構成する任意の２点と対応する発光素子３０との間の水平方向の距離を、それぞれ、距離Ｄ１、距離Ｄ２とすると、第１覆部５６Ａに近い方の点と対応する発光素子３０との水平方向の距離は距離Ｄ１であるのに対して、第１覆部５６Ａに遠い方の点と対応する発光素子３０との間の水平方向の距離は、距離Ｄ１よりも大きい距離Ｄ２となる。
【００３５】
さらに、図４（ｂ）に示すように、第１覆部５６Ａおよび第１延出部５６Ｂはいずれも水平方向に対して傾斜して設けられている。本実施の形態では、第１覆部５６Ａの水平方向に対する傾斜角度は傾斜角度θａ、第１延出部５６Ｂの水平方向に対する傾斜角度は傾斜角度θｂとなるように構成されている。
【００３６】
図４（ｂ）に示すように、傾斜角度θｂは、傾斜角度θａよりも大きい方が好ましいが、傾斜角度θａおよび傾斜角度θｂは、０度〜９０度のうち、任意の角度を設定することができる。
【００３７】
なお、第１庇列６１を構成する各第１庇部５６の各第１覆部５６Ａの傾斜角度θａは、全て等しい角度としてもよいし、それぞれ異なる角度としてもよい。各第１庇列６１を構成する各第１庇部５６の第１延出部５６Ｂの傾斜角度θｂも同様に、全て等しい角度としてもよいし、それぞれ異なる角度としてもよい。
【００３８】
次に、第２庇部５７の構成について、図２、図２の領域Ｃを拡大した一部拡大図である図５（ａ）および図５（ｂ）を参照しながら詳細に説明する。
【００３９】
図２に示すように、第２庇部５７は、第２覆部５７Ａと、当該第２覆部５７Ａから延出する第２延出部５７Ｂを有する。第２延出部５７Ｂは、第２覆部５７Ａの第１側端部５１Ｅ１側に設けられている。また、第２延出部５７Ｂは、第２覆部５７Ａから遠ざかるほど、鉛直方向の下方に位置するように水平方向に対して傾斜して設けられている。
【００４０】
図２の領域Ｃに、第２庇部５７と、当該第２庇部５７に対応する発光素子３０を示す。第２庇部５７は、第２覆部５７Ａが、対応する発光素子３０の鉛直方向の上方に隣接して位置し、第２延出部５７Ｂが、当該対応する発光素子３０の第１側端部５１Ｅ１側に位置するように設けられる。
【００４１】
このため、第２庇部５７に対応する発光素子３０は、当該第２庇部５７を構成する第２覆部５７Ａの鉛直方向の下方に隣接する位置であって、当該第２覆部５７Ａから延出する第２延出部５７Ｂの第２側端部５１Ｅ２側に隣接する位置に設けられることとなる。
【００４２】
また、図５（ａ）および図５（ｂ）に示すように、第２延出部５７Ｂは、第２覆部５７Ａから遠ざかるほど鉛直方向の下方に位置するように水平方向に対して傾斜して設けられるとともに、第２覆部５７Ａから遠ざかるほど対応する発光素子３０との水平方向の距離が大きくなるように設けられている。すなわち、図５（ａ）に示すように、第２延出部５７Ｂを構成する任意の２点と対応する発光素子３０との間の水平方向の距離を、それぞれ、距離Ｄ３、距離Ｄ４とすると、第２覆部５７Ａに近い方の点と対応する発光素子３０との水平方向の距離は距離Ｄ３であるのに対して、第２覆部５７Ａに遠い方の点と対応する発光素子３０との間の水平方向の距離は、距離Ｄ３よりも大きい距離Ｄ４となる。
【００４３】
また、図５（ｂ）に示すように、第２覆部５７Ａおよび第２延出部５７Ｂはいずれも水平方向に対して傾斜して設けられている。本実施の形態では、第２覆部５７Ａの水平方向に対する傾斜角度は傾斜角度θｃ、第２延出部５７Ｂの水平方向に対する傾斜角度は傾斜角度θｄとなるように構成されている。
【００４４】
図５（ｂ）に示すように、傾斜角度θｄは、傾斜角度θｃよりも大きい方が好ましいが、傾斜角度θｃおよび傾斜角度θｄは、０度〜９０度のうち、任意の角度を設定することができる。
【００４５】
なお、第２庇列６２を構成する各第２覆部５７Ａの傾斜角度θｃは、全て等しい角度としてもよいし、それぞれ異なる角度としてもよい。第２庇列６２を構成する各第２延出部５７Ｂの傾斜角度θｄも同様に、全て等しい角度としてもよいし、それぞれ異なる角度としてもよい。
【００４６】
さらに、第２覆部５７Ａの傾斜角度θｃは、第１覆部５６Ａの傾斜角度θａと等しい角度としてもよいし、傾斜角度θｃと傾斜角度θａは、それぞれ互いに異なる角度としてもよい。さらに、第２延出部５７Ｂの傾斜角度θｄは、第１延出部５６Ｂの傾斜角度θｂと等しい角度としてもよいし、傾斜角度θｄと傾斜角度θｂは、それぞれ互いに異なる角度としてもよい。傾斜角度θａ、傾斜角度θｂ、傾斜角度θｃおよび傾斜角度θｄは、設置場所の環境等に応じて、適宜設定することができる。
【００４７】
図６（ａ）に、従来の表示ユニット１の部分拡大正面図を示す。従来の表示ユニット１は、発光素子２の周囲上部に沿って設けられる庇部３を有する。降雨時等に、庇部３に雨滴などの水滴が付着すると、庇部３に付着した水滴は、自重によって庇部３を伝って鉛直方向の下方に向けて移動する。しかし、従来の表示ユニット１では、図６（ａ）に示すように、水滴ＷＴ１および水滴ＷＴ２は、自重によって庇部３を伝って鉛直方向の下方に向けて移動する際、発光素子２と庇部３に挟まれ、発光素子２の側面２ａに接触して滞留しまう。このように、発光素子２の側面２ａに接触して滞留する水滴ＷＴ１およびＷＴ２が存在すると、水滴ＷＴ１およびＷＴ２によって、発光素子２の出射光の光路が歪められ、発光素子２から正面方向に出射される光の輝度が変化してしまうおそれがある。
【００４８】
これに対して、図６（ｂ）に示す本実施の形態１にかかる表示ユニット１０では、第１庇部５６に付着した水滴ＷＴ３は、自重によって第１延出部５６Ｂを伝って鉛直方向の下方に向けて移動するにつれて、発光素子３０との水平方向における距離が大きくなる方向に誘導される。このため、図６（ａ）に示す従来の表示ユニット１よりも、発光素子３０と第１延出部５６Ｂの間に水滴ＷＴ３が挟まれ難い。したがって、従来の表示ユニット１よりも、水滴ＷＴ３が、発光素子３０の側面３０ａに接触して滞留することを抑制することができる。
【００４９】
なお、図示はしないが、第２庇部５７についても、第１庇部５６と同様の効果を奏することができる。すなわち、第２庇部５７に付着した水滴は、自重によって第２延出部５７Ｂを伝って鉛直方向の下方に移動するにつれて、発光素子３０との水平方向における距離が大きくなる方向に誘導される。このため、図６（ａ）に示す従来の表示ユニット１よりも、発光素子３０と第２延出部５７Ｂの間に水滴が挟まれ難い。したがって、従来の表示ユニット１よりも、水滴が、発光素子３０の側面３０ａに接触して滞留することを抑制することができる。
【００５０】
特に、表示装置５００を道路情報表示装置として使用する場合は、道路情報表示装置以外の画像表示装置として使用する場合よりも、さらに正確に、画像表示面１１に情報を表示することが求められる。この点、本実施の形態１では、水滴が、発光素子３０の側面３０ａに付着して滞留することを抑制することによって、発光素子３０から正面方向に出射される出射光の輝度の変化を抑制することができるため、従来の表示ユニット１よりも正確に画像表示面１１に情報を表示することができる。このため、従来の表示装置１よりも、好適に、道路情報表示装置として使用することができる。
【００５１】
上述した本実施の形態１によれば、以下に示す効果を奏することができる。
（１）降雨時等に、第１庇部５６に水滴が付着すると、第１庇部５６に付着した水滴は、自重によって第１延出部５６Ｂを伝って鉛直方向の下方に向けて移動する。第１延出部５６Ｂを伝う水滴は、鉛直方向の下方に移動するにつれて、発光素子３０との水平方向の距離が大きくなる方向に誘導される。このため、従来よりも、水滴が、発光素子３０と第１延出部５６Ｂに挟まれて滞留することを抑制することができる。したがって、水滴が、発光素子３０の側面３０ａに付着して滞留することを抑制することができる。第２庇部５７に水滴が付着した場合も同様に、第２庇部５７に付着した水滴は、自重によって、第２延出部５７Ｂを伝って鉛直方向の下方に向けて移動するにつれて、発光素子３０との水平方向の距離が大きくなる方向に誘導される。このため、従来よりも、第２延出部５７Ｂと発光素子３０の間に水滴が挟まれて滞留することを抑制することができる。したがって、水滴が、発光素子３０の側面３０ａに付着して滞留することを抑制することができる。
【００５２】
（２）第１覆部５６Ａの上面に水滴が滞留すると、この水滴によって、第１覆部５６Ａの鉛直方向の上方に位置する発光素子３０からの出射光が遮られてしまうおそれがある。第２覆部５７Ａの上面に水滴が滞留する場合も同様に、第２覆部５７Ａの鉛直方向の上方に位置する発光素子３０からの出射光が遮られてしまうおそれがある。この点、本実施の形態１に記載の庇部５５によれば、第１覆部５６Ａが水平方向に対して傾斜して設けられているため、第１覆部５６Ａの上面に付着した水滴は、自重によって、第１覆部５６Ａの上面を伝って第１延出部５６Ｂに向かう方向に移動することができる。同様に、第２覆部５７Ａも水平方向に対して傾斜して設けられているため、第２覆部５７Ａの上面に付着した水滴は、自重によって、第２覆部５７Ａの上面を伝って第２延出部５７Ｂに向かう方向に移動することができる。このため、第１覆部５６Ａまたは第２覆部５７Ａの上面に水滴が滞留することを抑制することができる。
【００５３】
（３）第１覆部５６Ａおよび第２覆部５７Ａは、鉛直方向の上方から発光素子３０に入射する外光を遮ることができる。また、第１延出部５６Ｂは、第２側端部５１Ｅ２側に傾いた方向から入射する外光を遮ることができる。同様に、第２延出部５７Ｂは、第１側端部５１Ｅ１側に傾いた方向から入射する外光を遮ることができる。このように、鉛直方向の上方から入射する外光のみならず、鉛直方向に対して傾いた方向から入射する光が発光素子３０に入射することを抑制することができる。
【００５４】
（４）第１庇列６１と第２庇列６２を鉛直方向に沿って交互に設けたため、第１庇列６１または第２庇列６２を鉛直方向に連続して並べて設けた場合よりも、水平方向に対して傾いた方向から入射する外光の入射を効率よく抑制することができる。
【００５５】
（実施の形態２）
実施の形態２の表示ユニット１０と表示装置５００について、先の図１〜図６の他、更に図７および図８を併せ参照して実施の形態１との相違点を中心に説明する。なお、特に断りの無い場合、同一符号は同一の構成を示すことによりその詳細な説明を適宜割愛する。
【００５６】
図７は、本実施の形態２にかかる表示ユニット１０を正面から見た正面図を示し、図８（ａ）は、図７の領域Ｄの部分拡大正面図を示し、図８（ｂ）は、図７の領域Ｅの部分拡大正面図を示す。
【００５７】
図７に示すように、本実施の形態２では、ベース表面５１Ｓ１に、ベース表面５１Ｓ１に垂直な方向に向けて庇状に突出する複数の庇部９１が設けられている。各庇部９１は、それぞれ、各発光素子３０が設けられる位置に対応する位置に設けられている。また、複数の庇部９１は、それぞれ互いに離間して設けられている。
【００５８】
庇部９１は、水平方向に並んで設けられる複数の第１庇部７１と、水平方向に並んで設けられる複数の第２庇部７２を有する。上述したように、複数の庇部９１は、それぞれ互いに離間して設けられるものであるため、各第１庇部７１は、水平方向に互いに離間して設けられることとなる。各第２庇部７２も同様に、水平方向に互いに離間して設けられることとなる。また、各第１庇部７１および各第２庇部７２は、各発光素子３０が設けられる位置にそれぞれ対応する位置に設けられている。
【００５９】
水平方向に並ぶ複数の第１庇部７１は第１庇列８１を構成し、水平方向に並ぶ複数の第２庇部７２は第２庇列８２を構成する。第１庇列８１と第２庇列８２は、鉛直方向に沿って交互に設けられる。
【００６０】
次に、本実施の形態２にかかる第１庇部７１の構成について、図７および図７の領域Ｄを拡大して示す部分拡大正面図である図８（ａ）を参照しながら詳細に説明する。
図７に示すように、第１庇部７１は、第１覆部７１Ａと、当該第１覆部７１Ａから延出する第１延出部７１Ｂを有する。第１延出部７１Ｂは、第１覆部７１Ａの第２側端部５１Ｅ２側に設けられている。また、第１延出部７１Ｂは、第１覆部７１Ａから遠ざかるほど、鉛直方向の下方に位置するように水平方向に対して傾斜して設けられている。
【００６１】
図７の領域Ｄに、このような第１庇部７１と、当該第１庇部７１に対応する発光素子３０を示す。第１庇部７１は、第１覆部７１Ａが、対応する発光素子３０の鉛直方向の上方に隣接して位置し、第１延出部７１Ｂが、当該発光素子３０の第２側端部５１Ｅ２側に隣接して位置するように設けられる。
【００６２】
このため、第１庇部７１に対応する発光素子３０は、当該第１庇部７１を構成する第１覆部７１Ａの鉛直方向の下方に隣接する位置であって、当該第１覆部７１Ａから延出する第１延出部７１Ｂの第１側端部５１Ｅ１側に隣接する位置に設けられることとなる。
【００６３】
第１延出部７１Ｂは、第１覆部７１Ａから遠ざかるほど鉛直方向の下方に位置するとともに、第１覆部７１Ａから遠ざかるほど対応する発光素子３０との水平方向の距離が大きくなるように傾斜して設けられている。
【００６４】
また、図８（ａ）に示すように、第１覆部７１Ａおよび第１延出部７１Ｂはいずれも水平方向に対して傾斜して設けられている。本実施の形態では、第１覆部７１Ａの水平方向に対する傾斜角度と、第１延出部７１Ｂの水平方向に対する傾斜角度は、いずれも傾斜角度θｅとなるように構成されている。すなわち、第１庇部７１は、直線形状を有するように構成されている。
【００６５】
なお、第１庇列８１を構成する複数の第１庇部７１の傾斜角度θｅは、全て等しい角度としてもよいし、それぞれ異なる角度としてもよい。
【００６６】
次に、実施の形態２にかかる第２庇部７２の構成について、図７および図７の領域Ｅを拡大して示す部分拡大正面図である図８（ｂ）を参照しながら詳細に説明する。
図７に示すように、第２庇部７２は、第２覆部７２Ａと、当該第２覆部７２Ａから延出する第２延出部７２Ｂを有する。第２延出部７２Ｂは、第２覆部７２Ａの第１側端部５１Ｅ１側に設けられている。また、第２延出部７２Ｂは、第２覆部７２Ａから遠ざかるほど、鉛直方向の下方に位置するように水平方向に対して傾斜して設けられている。
【００６７】
図７の領域Ｅに、このような第２庇部７２と、当該第２庇部７２に対応する発光素子３０を示す。第２庇部７２は、第２覆部７２Ａが、対応する発光素子３０の鉛直方向の上方に隣接して位置し、第２延出部７２Ｂが、当該発光素子３０の第１側端部５１Ｅ１側に隣接して位置するように設けられる。
【００６８】
このため、第２庇部７２に対応する発光素子３０は、当該第２庇部７２を構成する第２覆部７２Ａの鉛直方向の下方に隣接する位置であって、当該第２覆部７２Ａから延出する第２延出部７２Ｂの第２側端部５１Ｅ２側に隣接する位置に設けられることとなる。
【００６９】
また、図８（ｂ）に示すように、第２延出部７２Ｂは、上述した第１延出部７１Ｂと同様に、第２覆部７２Ａから遠ざかるほど鉛直方向の下方に位置するとともに、第２覆部７２Ａから遠ざかるほど対応する発光素子３０との水平方向の距離が大きくなるように傾斜している。
【００７０】
また、図８（ｂ）に示すように、第２覆部７２Ａおよび第２延出部７２Ｂはいずれも水平方向に対して傾斜して設けられている。本実施の形態では、第２覆部７２Ａの水平方向に対する傾斜角度と、第２延出部７２Ｂの水平方向に対する傾斜角度は、いずれも傾斜角度θｆとなるように構成されている。すなわち、第２庇部７２は、直線形状を有するように構成されている。
【００７１】
なお、第２庇列８２を構成する複数の第２庇部７２の傾斜角度θｆは、全て等しい角度としてもよいし、それぞれ異なる角度としてもよい。
【００７２】
上述した本実施の形態２によれば、上記実施の形態１にて説明した効果（１）〜（４）に加え、以下に示す効果を奏することができる。
【００７３】
（５）本実施の形態２では、第１覆部７１Ａに付着した水滴が自重によって第１覆部７１Ａを伝って第１延出部７１Ｂまで移動する際、当該水滴が第１覆部７１Ａと第１延出部７１Ｂの間に滞留することを抑制することができる。同様に、第２覆部７２Ａに付着した水滴が自重によって第２覆部７２Ａを伝って第２延出部７２Ｂまで移動する際、当該水滴が、第２覆部７２Ａと第２延出部７２Ｂの間に滞留することを抑制することができる。
【００７４】
（実施の形態３）
実施の形態３の表示ユニット１０と表示装置５００について、先の図１〜図８の他、更に図９を併せ参照して実施の形態２との相違点を中心に説明する。なお、特に断りの無い場合、同一符号は同一の構成を示すことによりその詳細な説明を適宜割愛する。
【００７５】
図９に示すように、本実施の形態３では、ベース表面５１Ｓ１に、ベース表面５１Ｓ１に垂直な方向に向けて庇状に突出する複数の庇部９２が設けられている。複数の庇部９２は、それぞれ、発光素子３０が設けられる位置に対応する位置に設けられている。また、複数の庇部９２は、それぞれ互いに離間して設けられている。
【００７６】
庇部９２は、水平方向に並んで設けられる複数の第１庇部７３と、水平方向に並んで設けられる複数の第２庇部７４を有する。上述したように、複数の庇部９２は、それぞれ互いに離間して設けられるものであるため、各第１庇部７３は、水平方向に互いに離間して設けられることとなる。各第２庇部７４も同様に、水平方向に互いに離間して設けられることとなる。また、各第１庇部７３および各第２庇部７４は、いずれも、各発光素子３０が設けられる位置にそれぞれ対応する位置に設けられている。
【００７７】
水平方向に並ぶ複数の第１庇部７３は第１庇列８３を構成し、水平方向に並ぶ複数の第２庇部７４は第２庇列８４を構成する。第１庇列８３と第２庇列８４は、鉛直方向に沿って交互に設けられる。
【００７８】
次に、本実施の形態３にかかる第１庇部７３の構成について、図９を参照しながら詳細に説明する。
第１庇部７３は、第１覆部７３Ａと、当該第１覆部７３Ａから延出する第１延出部７３Ｂを有する。第１延出部７３Ｂは、第１覆部７３Ａの第２側端部５１Ｅ２側に設けられている。また、第１延出部７３Ｂは、第１覆部７３Ａから遠ざかるほど、鉛直方向の下方に位置するように水平方向に対して傾斜して設けられている。
【００７９】
このような第１庇部７３は、当該第１庇部７３を構成する第１覆部７３Ａが、対応する発光素子３０の鉛直方向の上方に隣接して位置し、第１延出部７３Ｂが、当該発光素子３０の第２側端部５１Ｅ２側に隣接して位置するように設けられる。
【００８０】
また、第１庇部７３を構成する第１延出部７３Ｂは、第１覆部７３Ａから遠ざかるほど鉛直方向の下方に位置し、第１覆部７３Ａから遠ざかるほど対応する発光素子３０との水平方向の距離が大きくなるように傾斜している。
【００８１】
さらに、第１庇部７３を構成する第１覆部７３Ａおよび第１延出部７３Ｂは、水平方向に対する傾斜角度が等しい。すなわち、本実施の形態３では、第１庇部７３は、直線形状を有するように構成されている。
なお、第１庇列８３を構成する各第１庇部７３の水平方向に対する傾斜角度は、全て等しい角度としてもよいし、それぞれ異なる角度としてもよい。
【００８２】
また、本実施の形態３にかかる第１庇部７３は、第１延出部７３Ｂの鉛直方向における下端部が、対応する発光素子３０の鉛直方向における下端部よりも、鉛直方向の下方に位置するように構成されている。
【００８３】
次に、第２庇部７４について、図９を参照しながら詳細に説明する。
第２庇部７４は、第２覆部７４Ａと、当該第２覆部７４Ａから延出する第２延出部７４Ｂを有する。第２延出部７４Ｂは、第２覆部７４Ａの第１側端部５１Ｅ１側に設けられている。また、第２延出部７４Ｂは、第２覆部７４Ａから遠ざかるほど、鉛直方向の下方に位置するように傾斜している。
【００８４】
このような第２庇部７４は、当該第２庇部７４を構成する第２覆部７４Ａが、対応する発光素子３０の鉛直方向の上方に隣接して位置し、第２延出部７４Ｂが、当該対応する発光素子３０の第１側端部５１Ｅ１側に位置するように設けられる。
【００８５】
このため、第２庇部７４に対応する発光素子３０は、当該第２庇部７４を構成する第２覆部７４Ａの鉛直方向の下方に隣接する位置であって、当該第２覆部７４Ａから延出する第２延出部７４Ｂの第２側端部５１Ｅ２側に隣接する位置に設けられることとなる。
【００８６】
第２延出部７４Ｂは、上述した第１延出部７３Ｂと同様に、第２覆部７４Ａから遠ざかるほど鉛直方向の下方に位置するとともに、第２覆部７４Ａから遠ざかるほど対応する発光素子３０との水平方向の距離が大きくなるように設けられている。
【００８７】
さらに、第２覆部７４Ａと第２延出部７４Ｂの水平方向に対する傾斜角度は等しい。このため、本実施の形態３では、第２庇部７４は、直線形状を有するように構成されている。
なお、第２庇列８４を構成する各第２庇部７４の水平方向に対する傾斜角度は、全て等しい角度としてもよいし、それぞれ異なる角度としてもよい。
【００８８】
また、本実施の形態３にかかる第２庇部７４は、第１庇部７３と同様に、第２延出部７４Ｂの鉛直方向における下端部が、対応する発光素子３０の鉛直方向における下端部よりも、鉛直方向の下方に位置するように構成されている。
【００８９】
上述した本実施の形態３によれば、上記実施の形態１および上記実施の形態２にて説明した効果（１）〜（５）に加えて、以下に示す効果を奏することができる。
【００９０】
（６）本実施の形態３では、第１延出部７３Ｂの鉛直方向における下端部が、対応する発光素子３０の鉛直方向における下端部よりも、鉛直方向の下方に位置するように構成されている。このため、第１延出部７３Ｂを伝う水滴は、第１延出部７３Ｂによって、対応する発光素子３０よりも鉛直方向の下方、すなわち鉛直方向の低い位置まで誘導される。したがって、第１庇部７３と発光素子３０との間に水滴が挟まれることを、より好適に抑制することができる。同様に、第２延出部７４Ｂの鉛直方向における下端部も、対応する発光素子３０の鉛直方向における下端部よりも、鉛直方向の下方に位置するように構成されている。このため、第２延出部７４Ｂを伝う水滴は、第２延出部７４Ｂによって、対応する発光素子３０よりも鉛直方向の下方、すなわち、鉛直方向の低い位置まで誘導される。したがって、第２庇部７４と発光素子３０との間に水滴が挟まれることを、より好適に抑制することができる。
【００９１】
（実施の形態４）
実施の形態４の表示ユニット１０と表示装置５００について、先の図１〜図９の他、更に図１０を併せ参照して実施の形態３との相違点を中心に説明する。なお、特に断りの無い場合、同一符号は同一の構成を示すことによりその詳細な説明を適宜割愛する。
【００９２】
上記実施の形態３では、互いに離間して設けられる第１庇部７３と第２庇部７４を有する庇部９２について説明したが、本実施の形態４では、実施の形態３にて説明した庇部９２の長さを変更し、図１０に示すように互いに接続して設けた例について説明する。以下、本実施の形態４について詳細に説明する。
【００９３】
図１０に示すように、本実施の形態４では、ベース表面５１Ｓ１に、ベース表面５１Ｓ１に垂直な方向に向けて庇状に突出する複数の庇部９３が設けられている。複数の庇部９３は、それぞれ、各発光素子３０が設けられる位置に対応する位置に設けられている。また、複数の庇部９３は、それぞれ水平方向に互いに離間して設けられている。
【００９４】
庇部９３は、水平方向に並んで設けられる複数の第１庇部７５と、水平方向に並んで設けられる複数の第２庇部７６を有する。各第１庇部７５は、水平方向に互いに離間して設けられており、各第２庇部７６も、水平方向に互いに離間して設けられている。各第１庇部７５および各第２庇部７６は、いずれも、各発光素子３０が設けられる位置にそれぞれ対応する位置に設けられている。
【００９５】
水平方向に並ぶ複数の第１庇部７５は第１庇列８５を構成し、水平方向に並ぶ複数の第２庇部７６は第２庇列８６を構成する。第１庇列８５と第２庇列８６は、鉛直方向に沿って交互に設けられる。
【００９６】
次に、本実施の形態４にかかる第１庇部７５の構成について、図１０を参照しながら詳細に説明する。
第１庇部７５は、第１覆部７５Ａと、当該第１覆部７５Ａから延出する第１延出部７５Ｂを有する。第１延出部７５Ｂは、第１覆部７５Ａの第２側端部５１Ｅ２側に設けられている。また、第１延出部７５Ｂは、第１覆部７５Ａから遠ざかるほど、鉛直方向の位置の下方に位置するように傾斜している。
【００９７】
このような第１庇部７５は、当該第１庇部７５を構成する第１覆部７５Ａが、対応する発光素子３０の鉛直方向の上方に隣接して位置し、第１延出部７５Ｂが、当該対応する発光素子３０の第２側端部５１Ｅ２側に隣接して位置するように設けられる。
【００９８】
第１延出部７５Ｂは、第１覆部７５Ａから遠ざかるほど鉛直方向の下方に位置し、第１覆部７５Ａから遠ざかるほど対応する発光素子３０との水平方向の距離が大きくなるように設けられている。さらに、第１覆部７５Ａおよび第１延出部７５Ｂの水平方向に対する傾斜角度は等しい。このため、本実施の形態４では、第１庇部７５は、直線形状を有するように構成されている。
【００９９】
また、第２庇部７６は、第２覆部７６Ａと、当該第２覆部７６Ａから延出する第２延出部７６Ｂを有する。第２延出部７６Ｂは、第２覆部７６Ａの第１側端部５１Ｅ１側に設けられている。また、第２延出部７６Ｂは、第２覆部７６Ａから遠ざかるほど、鉛直方向の下方に位置するよう水平方向に対して傾斜している。
【０１００】
このような第２庇部７６は、当該第２庇部７６を構成する第２覆部７６Ａが、対応する発光素子３０の鉛直方向の上方に隣接して位置し、第２延出部７６Ｂが、当該対応する発光素子３０の第１側端部５１Ｅ１側に位置するように設けられる。
【０１０１】
第２延出部７６Ｂは、上述した第１延出部７５Ｂと同様に、第２覆部７６Ａから遠ざかるほど鉛直方向の下方に位置するとともに、第２覆部７６Ａから遠ざかるほど対応する発光素子３０との水平方向の距離が大きくなるように傾斜している。
【０１０２】
さらに、第２覆部７６Ａと第２延出部７６Ｂの水平方向に対する傾斜角度は等しい。このため、本実施の形態４では、第２庇部７６は、直線形状を有するように構成されている。
【０１０３】
本実施の形態４においては、図１０に示すように、上述した第１庇部７５を有する第１庇列８５と、上述した第２庇部７６を有する第２庇列８６が、鉛直方向に沿って交互に設けられている。具体的には、鉛直方向の上方から下方に向かって、第１庇列８５、第２庇列８６、第１庇列８５、第２庇列８６の順に設けられている。
【０１０４】
第１庇列８５を構成する第１庇部７５の第１延出部７５Ｂは、当該第１庇列８５の鉛直方向における下方に位置する第２庇列８６を構成する第２庇部７６の第２覆部７６Ａに接続している。また、当該第２庇列８６を構成する第２庇部７６の第２延出部７６Ｂは、当該第２庇列８６の鉛直方向における下方に位置する第１庇列８５を構成する第１庇部７５の第１覆部７５Ａに接続している。
【０１０５】
このように、本実施の形態４では、庇部９３は、第１覆部７５Ａ、第１延出部７５Ｂ、第２覆部７６Ａおよび第２延出部７６Ｂを有し、鉛直方向に延びるように構成される。本実施の形態４では、ルーバ５０に設けられる複数の庇列のうち、鉛直方向の最も上方に設けられる第１庇列８５を構成する第１庇部７５から、鉛直方向の最も下方に設けられる第２庇列８６を構成する第２延出部７６Ｂまでが互いに接続して設けられる。
【０１０６】
上述した本実施の形態４によれば、上記実施の形態３にて説明した効果（１）〜（６）に加え、以下に示す効果を奏することができる。
（７）本実施の形態４によれば、庇部９３に付着した水滴は、自重によって鉛直方向に延びる庇部９３を伝い、鉛直方向の下方に誘導される。庇部９３は、ルーバ５０の鉛直方向における最も上方に設けられる第１庇列８５を構成する第１庇部７５から、ルーバ５０の鉛直方向における最も下方に設けられる第２庇列８６を構成する第２庇部７６まで、互いに接続して設けられているため、庇部９３に付着した水滴をルーバ５０の鉛直方向における最も下方にまで誘導することができる。
【０１０７】
（その他の実施の形態）
・上記実施の形態４の変形例の一例を図１１に示す。本変形例では、ベース表面５１Ｓ１に、ベース表面５１Ｓ１からベース表面５１Ｓ１に垂直な方向に向けて庇状に突出する複数の庇部９４が、互いに水平方向に離間して設けられている。庇部９４は、上記実施の形態４で説明した第１庇部７５および第２庇部７６に加えて、第１延出部７５Ｂと第２延出部７６Ｂを接続し、鉛直方向に平行に延びる第３庇部５９を有する。本変形例によれば、第３庇部５９によって鉛直方向に対して傾斜した方向からルーバ５０に入射する外光を遮ることができる。また、本変形例によれば、ベース表面５１Ｓ１の一部に、第１延出部７５Ｂ、第２覆部７６Ａおよび第３庇部５９によって囲まれる部分と、第１覆部７５Ａ、第２延出部７６Ｂおよび第３庇部５９によって囲まれる部分が設けられる。このように複数の庇部９４によって囲まれる部分は、太陽光等の外光が入射し難いため、暗い状態に維持することができる。このため、本変形例によれば、画像表示面１１に、従来よりも暗い部分を設けることができるため、ベース表面５１Ｓ１と発光素子３０のコントラストを従来よりも高くすることができる。
【０１０８】
・上記実施の形態１〜３にて説明した表示ユニット１０において、上記変形例にて説明した第３庇部５９に相当する構成を追加することもできる。
【０１０９】
・上記実施の形態２の変形例の一例として、図１２に示すように、円弧形状の第１庇部７７および第２庇部７８を有する庇部９５を設けてもよい。同図１２に示すように、本変形例においては、第１庇部７７は、第１覆部７７Ａと、第１覆部７７Ａから延出する第１延出部７７Ｂを有し、第２庇部７８は、第２覆部７８Ａと、第２覆部７８Ａから延出する第２延出部７８Ｂを有する。第１庇部７７は、水平方向に並べられて第１庇列８７を構成する。第２庇部７８も同様に、水平方向に並べられて第２庇列８８を構成する。第１延出部７７Ｂは、対応する発光素子３０の第２側端部５１Ｅ２側に位置し、第２延出部７８Ｂは、対応する発光素子３０の第１側端部５１Ｅ１に位置する。第１延出部７７Ｂは、第１覆部７７Ａから遠ざかるほど鉛直方向の下方に位置するように傾斜するとともに、第１覆部７７Ａから遠ざかるほど、対応する発光素子３０との水平方向の距離が大きくなる。同様に、第２延出部７８Ｂも、第２覆部７８Ａから遠ざかるほど鉛直方向の下方に位置するように傾斜するとともに、第２覆部７８Ａから遠ざかるほど対応する発光素子３０との水平方向の距離が大きくなるように構成されている。
【０１１０】
・上記実施の形態１の変形例の一例として、図１３に示すように、発光素子３０の鉛直方向の上方に設けられる覆部７９Ａと、覆部７９Ａの第１側端部５１Ｅ１側に設けられる第１延出部７９Ｂと、覆部７９Ａの第２側端部５１Ｅ２側に設けられる第２延出部７９Ｃとを有する庇部７９を設けてもよい。第１延出部７９Ｂと第２延出部７９Ｃは、いずれも、覆部７９Ａから遠ざかるほど、鉛直方向の下方に位置するように傾斜している。また、第１延出部７９Ｂと第２延出部７９Ｃは、いずれも、覆部７９Ａから遠ざかるほど、対応する発光素子３０との水平方向の距離が大きくなるように傾斜している。
【０１１１】
・上記実施の形態１では、第１覆部５６Ａおよび第２覆部５７Ａを、水平方向に対して傾斜して設けるようにしたが、本発明における第１覆部５６Ａおよび第２覆部５７Ａは、水平方向に対して傾斜したものに限られない。例えば、第１覆部５６Ａまたは第２覆部５７Ａを、水平方向に対して平行に延びるように構成してもよい。
【０１１２】
・上記実施の形態１では、回路基板２０に格子状に設けた複数の発光素子３０にそれぞれ対応するように複数の庇部５５を設けたが、回路基板２０に設けられる発光素子３０の配置は格子状でなくてもよい。例えば、回路基板２０に発光素子３０を放射状に設け、各発光素子３０にそれぞれ対応するように庇部５５を設けてもよい。または、回路基板２０に発光素子３０を円環状に設け、各発光素子３０にそれぞれ対応するように庇部５５を設けてもよい。同様に、上記各実施の形態および上記各変形例においても、回路基板２０に設けられる発光素子３０の配置は格子状でなくてもよく、例えば、放射状または円環状に発光素子３０を配置し、各発光素子３０にそれぞれ対応するように庇部９１または庇部９２または庇部９３または庇部９４または庇部９５または庇部９６を設けてもよい。
【０１１３】
・上記実施の形態１では、庇部５５は、第１庇部５６と第２庇部５７を有するものとしたが、本発明はこれに限られるものではなく、表示装置５００が設置される環境によっては、庇部５５は、第１庇部５６または第２庇部５７のいずれかのみを有するものとしてもよい。同様に、上記実施の形態２においても、庇部９１は第１庇部７１または第２庇部７２のいずれかのみを有するものとしてもよい。同様に、上記実施の形態３においても、庇部９２は第１庇部７３または第２庇部７４のいずれかのみを有するものとしてもよい。同様に、図１２にて示す変形例においても、庇部９５は第１庇部７７または第２庇部７８のいずれかのみを有するものとしてもよい。
【０１１４】
・上記実施の形態１では、第１庇列６１と第２庇列６２が、鉛直方向に沿って交互に並んで配置される例について説明したが、本発明はこれに限られるものではなく、複数の第１庇列６１が鉛直方向に連続して設けられるものであってもよい。または、複数の第２庇列６２が鉛直方向に連続して設けられるものであってもよい。同様に、実施の形態２にて説明した第１庇列８１と第２庇列８２についても、鉛直方向に沿って、交互に設けられるものでなくてもよい。また、実施の形態３にて説明した第１庇列８３と第２庇列８４についても、鉛直方向に沿って、交互に設けられるものでなくてもよい。さらに、上記図１２に示す変形例にて説明した第１庇列８７と第２庇列８８についても、鉛直方向に沿って、交互に設けられるものでなくてもよい。
【０１１５】
・上記実施の形態３では、第１覆部７３Ａと第１延出部７３Ｂの水平方向に対する傾斜角度が互いに等しい構成について説明したが、本発明はこれに限られるものではなく、第１覆部７３Ａの水平方向に対する傾斜角度と、第１延出部７３Ｂの水平方向に対する傾斜角度は、互いに異なるものであってもよい。同様に、上記実施の形態３にかかる第２覆部７４Ａと第２延出部７４Ｂの水平方向に対する傾斜角度は互いに異なるものであってもよい。また、上記実施の形態４および図１１にて説明した変形例では、第１覆部７５Ａと第１延出部７５Ｂの水平方向に対する傾斜角度が互いに等しい構成について説明したが、本発明はこれに限られるものではなく、第１覆部７５Ａの水平方向に対する傾斜角度と、第１延出部７５Ｂの水平方向に対する傾斜角度は、互いに異なるものであってもよい。同様に、上記実施の形態４および図１１にて説明した変形例にかかる第２覆部７６Ａの水平方向に対する傾斜角度と、第２延出部７６Ｂの水平方向に対する傾斜角度は互いに異なるものであってもよい。
【０１１６】
・上記実施の形態４では、ルーバ５０に設けられる複数の庇列のうち、鉛直方向の最も上方に設けられる第１庇列８５を構成する第１庇部７５から、鉛直方向の最も下方に設けられる第２庇列８６を構成する第２延出部７６Ｂまでが互いに接続して設けられる例について説明したが、本発明はこれに限られるものではない。本発明は、ルーバ５０に設けられる複数の第１庇列８５のうち、少なくとも１つの第１庇列８５の第１延出部７５Ｂが、当該第１庇列８５の鉛直方向の下方に設けられる第２庇列８６の第２覆部７６Ａに接続するものであればよい。同様に、ルーバ５０に設けられる複数の第２庇列８６のうち、少なくとも１つの第２庇列８６の第２延出部７６Ｂが、当該庇列８６の鉛直方向の下方に設けられる第１庇列８５の第１覆部７５Ａに接続するものであればよい。
【０１１７】
・上記各実施の形態および各変形例では、発光素子３０として、Ｒ（赤色）、Ｇ（緑色）およびＢ（青色）のＬＥＤチップを内蔵する３ｉｎ１型のＬＥＤ素子
を用いたが、本発明はこれに限られるものではなく、発光素子３０として、１ｉｎ１型のＬＥＤ素子を用いてもよい。
【０１１８】
・上記各実施の形態および各変形例では、発光素子３０が、水平方向に３つ、鉛直方向に４つ並べられる例について説明したが、回路基板２０に設けられる発光素子３０の数は適宜変更することができる。
【符号の説明】
【０１１９】
１  表示ユニット、２  発光素子、２ａ  側面、３  庇部、  １０  表示ユニット、１１  画像表示面、２０  回路基板、２２  実装面、２３  保護部、３０  発光素子、３０ａ  側面、４０  ケース、４１  第１開口部、４２  第２開口部、５０  ルーバ、５１  ベース部、５１Ｓ１  ベース表面、５１Ｓ２  ベース裏面、５１Ｅ１  第１側端部、５１Ｅ２  第２側端部、５４  開口部、５５  庇部、５６  第１庇部、５６Ａ  第１覆部、５６Ｂ  第１延出部、５７  第２庇部、５７Ａ  第２覆部、５７Ｂ  第２延出部、５９  第３庇部、６１  第１庇列、６２  第２庇列、７１  第１庇部、７１Ａ  第１覆部、７１Ｂ  第１延出部、７２  第２庇部、７２Ａ  第２覆部、７２Ｂ  第２延出部、７３  第１庇部、７３Ａ  第１覆部、７３Ｂ  第１延出部、７４  第２庇部、７４Ａ  第２覆部、７４Ｂ  第２延出部、７５  第１庇部、７５Ａ  第１覆部、７５Ｂ  第１延出部、７６  第２庇部、７６Ａ  第２覆部、７６Ｂ  第２延出部、７７  第１庇部、７７Ａ  第１覆部、７７Ｂ  第１延出部、７８  第２庇部、７８Ａ  第２覆部、７８Ｂ  第２延出部、７９庇部、７９Ａ  覆部、７９Ｂ  第１延出部、７９Ｃ  第２延出部、８１  第１庇列、８２  第２庇列、８３  第１庇列、８４  第２庇列、８５  第１庇列、８６  第２庇列、８７  第１庇列、８８  第２庇列、９１  庇部、９２  庇部、９３  庇部、９４  庇部、９５  庇部、２００  支持フレーム、５００  表示装置、５０１  表示面。
【図１】
2020160302.tif 000003
【図２】
2020160302.tif 000004
【図３】
2020160302.tif 000005
【図４】
2020160302.tif 000006
【図５】
2020160302.tif 000007
【図６】
2020160302.tif 000008
【図７】
2020160302.tif 000009
【図８】
2020160302.tif 000010
【図９】
2020160302.tif 000011
【図１０】
2020160302.tif 000012
【図１１】
2020160302.tif 000013
【図１２】
2020160302.tif 000014
【図１３】
2020160302.tif 000015